(57)【要約】【課題】アイコンを利用した通信装置と方法とを提供する。【解決手段】第１ユーザーの第１通信端末機には、第２ユーザーが使う少なくとも一つの通信端末機を表わすアイコンを含む第２ユーザーアイコンプロファイルが保存されており、第２ユーザーの第２通信端末機には、第１ユーザーが使う少なくとも一つの通信端末機を表わすアイコンを含む第１ユーザーアイコンプロファイルが保存されている。第１ユーザーが、第２ユーザーアイコンプロファイルを構成する少なくとも一つのアイコンのうちから第１アイコンを選択する場合、第１ユーザーは、第１通信端末機を用いて第１アイコンが表わす第２ユーザーの第２通信端末機との通信ができる。【選択図】図１
2008533800.tif 000002
【特許請求の範囲】
【請求項１】
通信端末機において、
前記通信端末機ユーザーの少なくとも一つのアイコンプロファイルを保存するためのアイコンプロファイル保存手段と、
前記アイコンプロファイル保存手段に保存された少なくとも一つのアイコンプロファイルのうちから所望のアイコンプロファイルを選択するための選択手段と、
前記選択手段によって選択されたアイコンプロファイルを前記通信端末機の外部に伝送するための伝送手段と、
第２ユーザーの通信端末機から出力された第２ユーザーのアイコンプロファイルを受信するための受信手段と、
前記受信手段を通じて受信された前記第２ユーザーのアイコンプロファイルを保存するための受信アイコンプロファイル保存手段と、を備え、
前記通信端末機ユーザーの少なくとも一つのアイコンプロファイルそれぞれは、前記第１ユーザーが使う少なくとも一つの通信端末機についての情報を表わすアイコンを含み、
前記第２ユーザーのアイコンプロファイルは、前記第２ユーザーが使う通信端末機についての情報を表わすアイコンを含むことを特徴とする通信端末機。
【請求項２】
前記通信端末機は、
少なくとも一つのアイコンについての情報を保存するアイコン保存手段と、
前記アイコン保存手段に保存された少なくとも一つのアイコンについての情報に基づいて前記通信端末機ユーザーのアイコンプロファイルを生成するためのアイコンプロファイル生成手段をさらに含むことを特徴とする請求項１に記載の通信端末機。
【請求項３】
前記通信端末機は、
前記通信端末機の外部から入力される前記通信端末機ユーザーの少なくとも一つのアイコンプロファイルを前記アイコンプロファイル保存手段に伝送するためのコネクタをさらに含むことを特徴とする請求項１に記載の通信端末機。
【請求項４】
前記通信端末機は、前記通信端末機の外部から入力される前記通信端末機ユーザーの少なくとも一つのアイコンプロファイルを前記アイコンプロファイル保存手段に伝送するか、前記通信端末機の外部から入力される前記少なくとも一つのアイコンについての情報を前記アイコン保存手段に伝送するためのコネクタをさらに含むことを特徴とする請求項１に記載の通信端末機。
【請求項５】
前記通信端末機は、
前記受信アイコンプロファイル保存手段に保存された少なくとも一人以上の第２ユーザーのアイコンプロファイルをリストで表わすためのアイコンプロファイルリストと、
前記アイコンプロファイルリストで選択された第２ユーザーのアイコンプロファイルを構成するアイコンが選択される場合、前記通信端末機と前記選択されたアイコンが表わす前記第２ユーザーの通信端末機と通信を実行できるように通信チャンネルを形成する連結手段と、をさらに含むことを特徴とする請求項１に記載の通信端末機。
【請求項６】
前記伝送手段は、前記受信手段から出力されたプロフィール伝送信号に応答して、前記選択手段によって選択された前記通信端末機ユーザーのアイコンプロファイルを前記通信端末機の外部に伝送することを特徴とする請求項１に記載の通信端末機。
【請求項７】
前記第２ユーザーのアイコンプロファイルには、前記第２ユーザーについての情報及び前記通信端末機のユーザーと前記第２ユーザーとの親等を表わす情報が含まれていることを特徴とする請求項１に記載の通信端末機。
【請求項８】
前記第１通信端末機と前記第２通信端末機それぞれは、ＣＤＭＡを用いる携帯電話機、ＧＳＭを用いる携帯電話機、ＴＤＭＡを用いる携帯電話機、ＰＳＴＮ（Ｐｕｂｌｉｃ  Ｓｗｉｔｃｈｅｄ  Ｔｅｌｅｐｈｏｎｅ  Ｎｅｔｗｏｒｋ）を用いる電話機、ＩＳＰ（Ｉｎｔｅｒｎｅｔ  Ｓｅｒｖｉｃｅ  Ｐｒｏｖｉｄｅｒ）を用いる電話機、及びＰＣを含むことを特徴とする請求項１に記載の通信端末機。
【請求項９】
アイコンを利用した通信方法において、
第１ユーザーと第２ユーザーそれぞれが、自身の通信端末機を用いて自身のアイコンプロファイルを生成する段階と、
前記第１ユーザーと前記第２ユーザーそれぞれが、自身の通信端末機を用いて選択された自身のアイコンプロファイルを互いに交換する段階と、
前記第１ユーザーが、自身の通信端末機に表示された前記第２ユーザーのアイコンプロファイルを構成する少なくとも一つのアイコンのうちから第１アイコンを選択する場合、前記第１ユーザーの通信端末機は、選択された第１アイコンが表示する前記第２ユーザーの通信端末機と通信を行うように通信チャンネルを形成する段階と、を備え、
前記第１ユーザーのアイコンプロファイルと前記第２ユーザーのアイコンプロファイルそれぞれは、前記第１ユーザーと前記第２ユーザーそれぞれが使う少なくとも一つの通信端末機についての情報を表わすためのアイコンを含むことを特徴とするアイコンを利用した通信方法。
【請求項１０】
前記通信端末機についての情報は、前記通信端末機が現在通信可能な状態にあるかどうかについての情報を表わすことを特徴とする請求項９に記載のアイコンを利用した通信方法。
【請求項１１】
アイコンを利用した通信方法において、
第１ユーザーが自身の第１通信端末機を用いてアイコンプロファイル保存手段に保存された少なくとも一つの第１ユーザーアイコンプロファイルのうちから所望の第１アイコンプロファイルを選択する段階と、
前記第１通信端末機が選択された第１アイコンプロファイルを第２ユーザーの通信端末機に伝送する段階と、
前記第１通信端末機が、前記第１ユーザーアイコンプロファイルに応答して、前記第２ユーザーの通信端末機から出力された第２ユーザーのアイコンプロファイルを受信して保存する段階と、を備え、
前記少なくとも一つの第１ユーザーアイコンプロファイルそれぞれは、前記第１ユーザーが使う少なくとも一つの通信端末機の情報を表わすアイコンを含み、前記第２ユーザーのアイコンプロファイルは、前記第２ユーザーが使う通信端末機の情報を表わすアイコンを含むことを特徴とするアイコンを利用した通信方法。
【請求項１２】
前記アイコンを利用した通信方法は、前記第１ユーザーが、前記第１通信端末機に表示された前記第２ユーザーのアイコンプロファイルを構成する少なくとも一つのアイコンのうちから第１アイコンを選択する場合、前記第１通信端末機は、選択された第１アイコンが表示する前記第２ユーザーの通信端末機と通信を行うように通信チャンネルを形成する段階をさらに含むことを特徴とする請求項１１に記載のアイコンを利用した通信方法。
【請求項１３】
前記アイコンを利用した通信方法は、
前記第２ユーザーが、前記第２ユーザーの通信端末機を用いて前記第１通信端末機に表示された前記第２ユーザーのアイコンプロファイルを構成する少なくとも一つのアイコンのうちから選択された第１アイコンが表示する前記第２ユーザーの通信端末機の情報を変更した場合、前記第１通信端末機は、前記第２ユーザーの通信端末機から入力される変更された第２ユーザーの通信端末機の情報を受信する段階と、
前記第１ユーザーが、前記第１通信端末機に表示された前記第１アイコンを選択する場合、前記第１通信端末機は、選択された第１アイコンが表示する前記第２ユーザーの変更された通信端末機と通信を行うように通信チャンネルを形成する段階と、をさらに含むことを特徴とする請求項１１に記載のアイコンを利用した通信方法。
【請求項１４】
通信端末機に親等情報を表示する方法において、
第１ユーザーが、自身の第１通信端末機に表示された第２ユーザーのアイコンプロファイルのうちから親等情報を表わす第１アイコンを選択する段階と、
前記第１通信端末機が、サーバーから前記第２ユーザーと社会的ネットワークを構成する少なくとも一人以上の第３ユーザーについての情報を読み取る段階と、
前記第１通信端末機が、前記サーバーから読み取られた少なくとも一人以上の第３ユーザーについての情報に基づいて前記第１通信端末機に前記少なくとも一人以上の第３ユーザーのアイコンプロファイルを表示する段階と、を備え、
前記第２ユーザーのアイコンプロファイルには、前記第２ユーザーの名前と前記第１ユーザーと前記第２ユーザーとの親等を表示する前記第１アイコンが表示されることを特徴とする通信端末機を用いて親等情報を表示する方法。
【請求項１５】
前記第３ユーザーのアイコンプロファイルには、前記第３ユーザーの名前と前記第１ユーザーと前記第３ユーザーとの親等を表示する親等情報を表わす第２アイコンが表示されることを特徴とする請求項１４に記載の通信端末機を用いて親等情報を表示する方法。
【請求項１６】
前記第３ユーザーのアイコンプロファイルには、前記第３ユーザーの名前と前記第２ユーザーと前記第３ユーザーとの親等を表示する前記第２アイコンが表示されることを特徴とする請求項１４に記載の通信端末機を用いて親等情報を表示する方法。
【請求項１７】
通信端末機を用いて親等を確認する方法において、
第１ユーザーが、自身の通信端末機の通話リストに表示されて前記通信端末機に電話をかけた第２ユーザーを選択する段階と、
前記通信端末機が、選択された第２ユーザーについての情報を前記第１ユーザーと社会的ネットワークを形成する少なくとも一人についての情報を保存しているサーバーに伝送する段階と、
前記通信端末機が、前記サーバーから出力された親等情報に基づいて前記第１ユーザーと前記第２ユーザーとについての親等情報を前記通信端末機に表示する段階と、を備えることを特徴とする通信端末機を用いて親等を確認する方法。
【請求項１８】
通信端末機を用いて親等を確認する方法において、
第１ユーザーが、自身の通信端末機の通話リストに表示されて前記通信端末機に電話をかけた第２ユーザーを選択する段階と、
前記通信端末機が、選択された第２ユーザーについての情報を前記第１ユーザーと社会的ネットワークを形成する少なくとも一人についての情報を保存しているサーバーに伝送する段階と、
前記通信端末機が、前記サーバーから出力された親等情報に基づいて前記第１ユーザーと前記第２ユーザーとについての親等情報、または前記第１ユーザーと社会的ネットワークを形成する少なくとも一人と前記第２ユーザーとの親等情報を前記通信端末機に表示する段階と、を含むことを特徴とする通信端末機を用いて親等を確認する方法。
【請求項１９】
通信端末機を用いて親等を確認する方法において、
第１ユーザーが、自身の第１通信端末機を用いて通話相手である第２ユーザーについての情報を、前記第１ユーザーと社会的ネットワークを形成する人についての情報を保存するサーバーに伝送する段階と、
前記第１通信端末機が、前記サーバーから伝送された親等情報に基づいて前記第１ユーザーと前記第２ユーザーとの親等情報を表示する段階と、を含むことを特徴とする通信端末機を用いて親等を確認する方法。
【請求項２０】
通信端末機を用いて親等を確認する方法において、
第１ユーザーが、自身の第１通信端末機を用いて通話相手である第２ユーザーについての情報を、前記第１ユーザーと社会的ネットワークを形成する人についての情報を保存するサーバーに伝送する段階と、
前記第１通信端末機が、前記サーバーから伝送された親等情報に基づいて前記第１ユーザーと前記第２ユーザーとの親等情報、または前記第１ユーザーと社会的ネットワークを形成する少なくとも一人と前記第２ユーザーとの親等情報を表示する段階と、を含むことを特徴とする通信端末機を用いて親等を確認する方法。
【請求項２１】
請求項９ないし請求項２０のうち何れか一項に記載された方法を行うためのプログラムを記録したコンピュータで読み取り可能な記録媒体。
【発明の詳細な説明】
【技術分野】
【０００１】
本発明は、通信端末機を用いて通信できる装置と方法に係り、より詳細には、ユーザー同士でアイコンプロファイルを交換し、該交換されたアイコンプロファイルを形成するアイコンを用いて相手ユーザーと通信ができる装置、方法、及び前記方法をコンピュータで実行させるためのプログラムを記録した記録媒体に関する。
【背景技術】
【０００２】
Ａという人が会社を移すか部署を移動する場合、Ａの会社電話番号は変更されうる。もし、Ａが会社を移して前記Ａの会社電話番号が変更された場合、前記Ａと通話をしようとする人は変更されたＡの会社電話番号が分からない限り、前記Ａの会社電話番号で電話をかけて通話することができない。また、携帯電話機の住所録に保存されたＡの会社電話番号は、自動的に変更された会社電話番号に変更されない。したがって、Ａは必要な電話を受け取れない場合が発生する。
【０００３】
そして、携帯電話機の住所録に保存されたＡの携帯電話番号、会社電話番号、家の電話番号、電子メールアドレス、ミニホームページアドレスなどが変わる場合、変更された情報は自動的に前記携帯電話機の住所録に変更またはアップデートされない。
【発明の開示】
【発明が解決しようとする課題】
【０００４】
本発明が果たそうとする技術的な課題は、ユーザーの通信端末機の番号が変更される場合でも変更された通信端末機の番号を前記ユーザーと人間的なネットワークを構成する人のそれぞれの通信端末機の住所録に自動的にアップデートさせうる装置と方法とを提供することである。
【課題を解決するための手段】
【０００５】
前記技術的課題を果たすための通信端末機は、第１ユーザーの多数のアイコンプロファイルを保存するためのアイコンプロファイル保存手段と、前記アイコンプロファイル保存手段に保存された多数のアイコンプロファイルのうちから所望のアイコンプロファイルを選択するための選択手段と、前記選択手段によって選択されたアイコンプロファイルを前記通信端末機の外部に伝送するための伝送手段と、前記通信端末機の外部から入力される第２ユーザーのアイコンプロファイルを受信するための受信手段と、前記受信手段を通じて受信された第２ユーザーのアイコンプロファイルを保存するための受信アイコンプロファイル保存手段と、を備え、前記第１ユーザーの多数のアイコンプロファイルそれぞれは、前記第１ユーザーが使う少なくとも一つの通信端末機の情報を表わすアイコンを含み、前記第２ユーザーのアイコンプロファイルは、前記第２ユーザーが使う通信端末機の情報を表わすアイコンを含む。前記通信端末機の情報は、現在通信端末機が通信可能な状態にあるか否かを表わす情報を含む。
【０００６】
前記技術的課題を果たすためのアイコンを利用した通信方法は、第１ユーザーと第２ユーザーそれぞれが、自身の通信端末機を用いて自身のアイコンプロファイルを生成する段階と、前記第１ユーザーと前記第２ユーザーそれぞれが、自身の通信端末機を用いて選択された自身のアイコンプロファイルを互いに交換する段階と、前記第１ユーザーが、自身の通信端末機に表示された前記第２ユーザーのアイコンプロファイルを構成する少なくとも一つのアイコンのうちから一つの第１アイコンを選択する場合、前記第１ユーザーの通信端末機は、選択された第１アイコンが表示する前記第２ユーザーの通信端末機と通信を行うように通信チャンネルを形成する。前記第１ユーザーのアイコンプロファイルと前記第２ユーザーのアイコンプロファイルそれぞれは、前記第１ユーザーと前記第２ユーザーそれぞれが使う少なくとも一つの通信端末機の情報を表わすためのアイコンを含む。
【０００７】
前記アイコンを利用した通信方法は、第１ユーザーが自身の第１通信端末機を用いてアイコンプロファイル保存手段に保存された多数の第１ユーザーアイコンプロファイルのうちから所望の第１アイコンプロファイルを選択する段階と、前記第１通信端末機が選択された第１アイコンプロファイルを第２ユーザーの通信端末機に伝送する段階と、前記第１通信端末機が前記第１アイコンプロファイルに応答して、前記第２ユーザーの通信端末機から入力される第２ユーザーのアイコンプロファイルを受信して保存する段階と、を備え、前記多数の第１ユーザーアイコンプロファイルそれぞれは、前記第１ユーザーが使う少なくとも一つの通信端末機の情報を表わすアイコンを含み、前記第２ユーザーのアイコンプロファイルは、前記第２ユーザーが使う通信端末機の情報を表わすアイコンを含む。
【０００８】
前記アイコンを利用した通信方法は、前記第１ユーザーが前記第１通信端末機に表示された前記第２ユーザーのアイコンプロファイルを構成する少なくとも一つのアイコンのうちから一つの第１アイコンを選択する場合、前記第１通信端末機は、選択された第１アイコンが表示する前記第２ユーザーの通信端末機と通信を行うように通信チャンネルを形成する段階をさらに備える。
【０００９】
前記アイコンを利用した通信方法は、前記第２ユーザーが前記第２ユーザーの通信端末機を用いて前記第１通信端末機に表示された前記第２ユーザーのアイコンプロファイルを構成する少なくとも一つのアイコンのうちから選択された第１アイコンが表示する前記第２ユーザーの通信端末機の情報を変更した場合、前記第１通信端末機は、前記第２ユーザーの通信端末機から入力される変更された第２ユーザーの通信端末機の情報を受信する段階と、前記第１ユーザーが前記第１通信端末機に表示された前記第１アイコンを選択する場合、前記第１通信端末機は、選択された第１アイコンが表示する前記第２ユーザーの変更された通信端末機と通信を行うように通信チャンネルを形成する段階と、をさらに備える。プログラムを記録したコンピュータで読み取り可能な記録媒体は、前述した方法を記録する。
【００１０】
本発明による親等情報検索方法は、第１ユーザーが第２ユーザーに電話をかける時、前記第１ユーザーが前記第２ユーザーとの親等をサーバーに問い合わせる場合、前記サーバーは、前記第１ユーザーと前記第２ユーザーとの親等を前記第１ユーザーの端末機に伝送する。また、本発明による親等情報検索方法は、第１ユーザーに電話をかけた第２ユーザーとの親等を前記サーバーに問い合わせる場合、前記サーバーは、前記第１ユーザーと前記第２ユーザーとの親等を前記第１ユーザーの端末機に伝送する。
【発明の効果】
【００１１】
本発明による通信端末機は、キラーアプリケーション（ｋｉｌｌｅｒ  ａｐｐ）である住所録に名前と現在通信可能な相手の通信端末機とを表わすアイコンを表示しているので、前記通信端末機ユーザーは、前記アイコンが表わす相手の通信端末機と通信可能な時間に通信ができる。前記アイコンは、相手の通信端末機が通信可能な状態にあるかどうかも表示できるので、通信端末機のユーザーは通信が可能な時間に相手と通信ができる。
【００１２】
本発明による通信端末機は、第１ユーザーとアイコンプロフィールを送った第２ユーザーとの親等情報を表示できるので、前記第１ユーザーは不要な電話を受けなくても良い。したがって、前記第１ユーザーは、スパム性の電話を遮断できる。また、本発明による親等情報検索／確認方法を用いる場合、第１ユーザーが第２ユーザーに電話をかける前に前記第１ユーザーは前記第１ユーザーと前記第２ユーザーとの社会的関係（例えば、親等）、または前記第１ユーザーと社会的ネットワークを形成する人（ら）と前記第２ユーザーとの社会的関係を容易に分かりうる。
【発明を実施するための最良の形態】
【００１３】
本発明と本発明の動作上の利点及び本発明の実施によって達成される目的を十分に理解するためには、本発明の望ましい実施形態を例示する添付図面及び添付図面に記載された内容を参照しなければならない。以下、添付した図面を参照して、本発明の望ましい実施形態を説明することによって、本発明を詳しく説明する。各図面に付された同じ参照符号は、同じ部材を表わす。
【００１４】
図１は、本発明の実施形態によるアイコンプロファイル（ｉｃｏｎ  ｐｒｏｆｉｌｅ）を交換し、前記アイコンプロファイル内のアイコンを用いて通信できるシステム（ｓｙｓｔｅｍ）を表わすブロック図である。図１を参照すれば、本発明によるシステム１００は、少なくとも二つの通信端末機１１０、１５０、１５１、１５３、１６０、１７０、及び１８０とサーバー１３０とを備える。
【００１５】
本発明によるアプリケーション（ａｐｐｌｉｃａｔｉｏｎ；‘クライアントプログラム（ｃｌｉｅｎｔ  ｐｒｏｇｒａｍ）’とも言う）は、サーバー１３０からダウンロード（ｄｏｗｎｌｏａｄ）されて使うことができ、独立的な設置プログラムで製作されてＣＤやディスク（ｄｉｓｋ）に保存されて配布されることもあり、他のウェブページ（ｗｅｂｐｇｅ）を通じるか、ＦＴＰ(file transfer protocol)などを用いて伝達されて設置されることもある。また、本発明によるアプリケーションまたはクライアントプログラムは、通信端末機（例えば、携帯電話、ＰＤＡ(personal digital assistant)など）に内臓（ｅｍｂｅｄｅｄ）されて使われることもある。
【００１６】
前記通信端末機は、ＣＤＭＡを用いる通信装置（例えば、携帯電話、ＰＤＡなど）、ＧＳＭを用いる通信手段（例えば、携帯電話、ＰＤＡなど）、ＴＤＭＡを用いる通信手段（例えば、携帯電話、ＰＤＡなど）、ＰＳＴＮ（Ｐｕｂｌｉｃ  Ｓｗｉｔｃｈｅｄ  Ｔｅｌｅｐｈｏｎｅ  Ｎｅｔｗｏｒｋ）を用いる通信装置（例えば、家庭用有線電話、会社用有線電話など）、ＩＳＰ（Ｉｎｔｅｒｎｅｔ  Ｓｅｒｖｉｃｅ  Ｐｒｏｖｉｄｅｒ）を用いる通信手段（例えば、ＰＣなど）を含む。
【００１７】
第１ユーザーの通信端末機（例えば、携帯電話機）１１０は、自身のメモリに保存された少なくとも一つ以上のアイコンプロファイルのうちから第１ユーザーによって選択された第１ユーザーアイコンプロファイルを第２ユーザーの通信端末機（例えば、携帯電話機）１５０に伝送するために有／無線通信ネットワーク（ｎｅｔｗｏｒｋ）を通じてサーバー１３０及び／または移動通信社の中継システム（図示せず）に伝送する（Ｓ１１１）。
【００１８】
前記少なくとも一つ以上のアイコンプロファイルは、図４に図示されたような少なくとも一つのアイコン４１１ないし４２０を含み、各アイコン４１１ないし４２０は、通信端末機の番号（例えば、携帯電話番号、会社電話番号、家の電話番号など）またはアドレス（電子メールアドレス、ミニホームページアドレスなど）を表わす。
【００１９】
コンピュータのグラフィックユーザーインターフェースで、アイコン（ｉｃｏｎ）は応用プログラムや、機能、ある概念または特別な意味を有する客体などを表わす小さなイメージである。この場合、第１ユーザーの携帯電話機１１０は、第１ユーザーについての基礎情報（例えば、第１ユーザーの携帯電話番号）、第１ユーザーアイコンプロファイル、及び第２ユーザーについての基礎情報（例えば、第２ユーザーの携帯電話番号）も有／無線通信ネットワークを通じてサーバー１３０及び／または移動通信社の中継システム（図示せず）に伝送する（Ｓ１１１）。
【００２０】
前記サーバー１３０及び／または移動通信社の中継システム（図示せず）は、第１ユーザーについての基礎情報、前記第２ユーザーについての基礎情報、及び第１ユーザーアイコンプロファイルのうちから少なくとも一つを住所録データベース１３１に保存し、前記第２ユーザーについての基礎情報（例えば、第２ユーザーの携帯電話番号）に基づいて前記第１ユーザーアイコンプロファイルを有／無線通信ネットワークを通じて第２ユーザーの携帯電話機１５０に伝送する（Ｓ１１３）。
【００２１】
前記第１ユーザーが、前記サーバー１３０に所定の手続きを経て会員として加入された場合、前記第１ユーザーについての基礎情報は、会員である第１ユーザーのＩＤ、及びパスワードなどを含む。前記第１ユーザーアイコンプロファイルを受信した第２ユーザー携帯電話機１５０は、第２ユーザーによってデフォルト（ｄｅｆａｕｌｔ）と設定された第２ユーザーアイコンプロファイルまたは少なくとも一つの第２ユーザーアイコンプロファイルのうちから前記第２ユーザーによって選択された第２ユーザーアイコンプロファイルを第１ユーザーの携帯電話機１１０に伝送するために有／無線通信ネットワークを通じてサーバー１３０に伝送する（Ｓ１１５）。
【００２２】
この場合、第２ユーザーの携帯電話機１５０は、第１ユーザーについての基礎情報（例えば、第１ユーザーの携帯電話番号）、第２ユーザーアイコンプロファイル、及び第２ユーザーについての基礎情報（例えば、第２ユーザーの携帯電話番号）も有／無線通信ネットワークを通じてサーバー１３０に伝送する（Ｓ１１５）。前記サーバー１３０は、第１ユーザーについての基礎情報、前記第２ユーザーについての基礎情報、及び第２ユーザーアイコンプロファイルのうちから少なくとも一つを住所録データベース１３１に保存し、前記第１ユーザーについての基礎情報（例えば、前記第１ユーザーの携帯電話番号）に基づいて前記第２ユーザーアイコンプロファイルを有／無線通信ネットワークを通じて第１ユーザーの携帯電話機１１０に伝送する（Ｓ１１７）。
【００２３】
前記第２ユーザーが、前記サーバー１３０に所定の手続きを経て会員として加入された場合、前記第２ユーザーについての基礎情報は、会員である第２ユーザーのＩＤ、またはパスワードなどを含む。前記第１ユーザーの携帯電話機１１０は、前記サーバー１３０を通じるかまたは移動通信社の中継システムを通じて入力される第２ユーザーアイコンプロファイルを受信して保存する。
【００２４】
第１ユーザーが、図１４に図示されたように、第１ユーザー携帯電話機１１０の画面１３００に表示された第２ユーザーの携帯電話番号を表わすアイコン１３２０を選択（または、押す場合）、前記第１ユーザーの携帯電話機１１０は、図１８または図１９に図示されたように、前記第２ユーザーの携帯電話機１５０に電話をかける（Ｓ１２５）。
【００２５】
また、第１ユーザーが、図１４に図示されたように、第１ユーザー携帯電話機１１０の画面１３００に表示された第２ユーザーの会社電話番号を表わすアイコン１３３０を選択（または、押す場合）、前記第１ユーザーの携帯電話機１１０は、ＰＳＴＮ通信網を通じて前記第２ユーザーの会社電話機１５０に電話をかける（Ｓ１２７）。そして、第１ユーザーが、図１４に図示されたように、第１ユーザー携帯電話機１１０の画面１３００に表示された第２ユーザーのミニホームページのアドレスを表わすアイコン１３４０を選択（または、押す場合）、前記第１ユーザーの携帯電話機１１０は、有／無線通信ネットワークを通じて第２ユーザーのミニホームページに接続できる（Ｓ１２９）。
【００２６】
また、第２ユーザーは、金融関連情報を表わすアイコンを選択して銀行１８０に有／無線通信ネットワークを通じてお金を振り込みさせることができる（Ｓ１３１）。前記サーバー１３０及び／または移動通信社の中継システムは、第１ユーザーとネットワークを形成するすべての人（例えば、第２ユーザーについての情報含み）についての情報及び第２ユーザーとネットワークを形成するすべての人（例えば、第１ユーザーについての情報含み）についての情報を保存する。
【００２７】
したがって、第２ユーザーが、自身の通信端末機の情報（例えば、第２ユーザーの会社電話番号）を表わすアイコンを変更せずに、自身の携帯電話機１５０を通じるかまたは前記サーバー１３０に接続されたＰＣ（図示せず）を通じて修正する場合、前記第２ユーザーの携帯電話機１５０またはＰＣは、第２ユーザーの会社電話番号をサーバー１３０及び／または移動通信社の中継システムに伝送する（Ｓ１２１）。
【００２８】
前記サーバー１３０及び／または移動通信社の中継システムは、修正された第２ユーザーの会社電話番号を住所録データベース１３１に保存し、修正された第２ユーザーの会社電話番号を第２ユーザーとネットワークを形成するすべての人についての情報（例えば、携帯電話番号）に基づいて前記第２ユーザーとネットワークを形成するすべての人のそれぞれの通信端末機１１０、１５１、及び１５３に伝送する（Ｓ１２３）。
【００２９】
この場合、第１ユーザーが、図１４に図示されたように、第１ユーザー携帯電話機１１０の画面に表示された第２ユーザーの会社電話番号を表わすアイコン１３３０を選択して押す場合、前記第１ユーザーの携帯電話機１１０は、ＰＳＴＮを通じて前記第２ユーザーの会社電話機１５０に電話をかける（Ｓ１２７）。
【００３０】
すなわち、修正された第２ユーザーの通信端末機についての情報は、サーバー１３０、移動通信社の中継システム、及び前記第２ユーザーとネットワークを形成するすべての人のそれぞれの通信端末機のうちから少なくとも一つの端末機にリアルタイムでアップデート（ｕｐｄａｔｅ）されるので、前記第２ユーザーとネットワークを形成するすべての人のそれぞれは、第２ユーザーが許容した通信端末機を表わすアイコンを通じて前記第２ユーザーとの通信ができる。
【００３１】
図２は、本発明の他の実施形態によるアイコンプロファイルを交換し、前記アイコンプロファイル内のアイコンを用いて通信できるシステムを表わすブロック図である。例えば、図２のシステム２００は、端末機１１０と１５０とのそれぞれが互いに赤外線通信ができる場合を表わしたものである。図２を参照すれば、第１ユーザーと第２ユーザーそれぞれは、自身の通信端末機１１０と１５０とを使って少なくとも一つのアイコンプロファイルを生成し（Ｓ２０１とＳ２０３）、無線通信網を通じて各自の通信端末機１１０と１５０とに保存された第１ユーザーアイコンプロファイルと第２ユーザープロフィールとを互いに交換できる（Ｓ２０５とＳ２０７）。
【００３２】
図３は、本発明の実施形態によるアイコンプロファイルを交換し、前記アイコンプロファイル内のアイコンを用いて通信できる通信端末機を表わすブロック図である。図３を参照すれば、通信端末機１１０は、アイコンプロファイル保存手段３１０、選択手段３２０、伝送手段３３０、受信手段３４０、受信アイコンプロファイル保存手段３５０、アイコンプロファイルリスト（または、コンタクトリスト）３６０、及び連結手段３６１を備える。また、通信端末機１１０は、アイコン保存手段３７０、アイコンプロファイル生成手段３８０、及びコネクタ３９０をさらに備える。
【００３３】
前記各手段３１０ないし３９０は、所定のモジュール（ｍｏｄｕｌｅ）を意味し、前記各モジュールは独立している一つのソフトウェア及び／またはハードウェア単位を指称できる。前記各手段３１０ないし３９０は、独立的なボタンまたはプログラムで実行可能である。
【００３４】
図１に図示された各通信端末機１１０、１５０、１５１、及び１５３の構造は、図３に図示された通信端末機１１０の構造と実質的に同一である。アイコンプロファイル保存手段３１０は、アイコンプロファイル生成手段３８０を通じて生成された少なくとも一つのアイコンプロファイルまたはコネクタ３９０を通じて入力された少なくとも一つの第１ユーザーのアイコンプロファイルを受信し、該受信されたアイコンプロファイル（ら）を保存する。
【００３５】
前記第１ユーザーアイコンプロファイル（ら）それぞれは、第１ユーザー通信端末機１１０内のアイコンプロファイル生成手段３８０及び／または前記第１ユーザー通信端末機１１０外部のアイコンプロファイル生成手段（図示せず）を通じて作成しうる。前記第１ユーザー通信端末機１１０外部のアイコンプロファイル生成手段（図示せず）は、ＰＣになりうる。
【００３６】
前記選択手段３２０は、前記アイコンプロファイル保存手段３１０に保存された少なくとも一つの第１ユーザーアイコンプロファイルのうちから伝送を所望する第１ユーザーアイコンプロファイルを選択する。前記伝送手段３３０は、前記選択手段３２０によって選択された第１ユーザーアイコンプロファイルを第２ユーザー通信端末機１５０に伝送する。前記受信手段３４０は、前記第２ユーザーの通信端末機１５０から入力される第２ユーザーのアイコンプロファイルを受信する。前記受信アイコンプロファイル保存手段３５０は、前記受信手段３４０を通じて受信された第２ユーザーのアイコンプロファイルを保存する。前記受信アイコンプロファイル保存手段３５０には、多様な人によって伝送された多様なアイコンプロファイルが保存される。
【００３７】
前記アイコンプロファイルリスト３６０は、図１４に図示されたように、アイコンプロファイルを送った人の名前とその人が許容した個人通信手段を表わすアイコンを所定の順序によって表わす。前記連結手段３６１は、図１４に図示されたように、前記アイコンプロファイルリスト手段３６０を通じて選択された人（Ｊｉｎｎｙ）に許容したアイコン（携帯電話番号を表わすアイコン、会社電話番号を表わすアイコン、電子メールを表わすアイコン）を選択する場合、図１に図示されたように、その選択されたアイコンが表わす個人通信手段と音声、文字などの通信を行う。
【００３８】
図４は、アイコン保存手段に保存されたアイコンリストを表わす。図３及び図４を参照すれば、前記アイコン保存手段３７０は少なくとも一つのアイコンを保存する。前記少なくとも一つのアイコンは、携帯電話番号を表わすアイコン４１１、家の電話番号を表わすアイコン４１２、会社電話番号を表わすアイコン４１３、メッセンジャーアドレスを表わすアイコン４１４、家の住所を表わすアイコン４１５、会社住所を表わすアイコン４１６、ミニホームページアドレスを表わすアイコン４１７、電子メールアドレスを表わすアイコン４１８、銀行口座番号を表わすアイコン４１９、及びファックスを受け取るための電話番号を表わすアイコン４２０を含む。
【００３９】
図５は、第１ユーザーアイコンプロファイルの第１実施形態を表わす。第１ユーザーである‘▲刑▼容準（ヒョンヨンジュン）’が自身の携帯電話機１１０の編集ボタン５２０を押せば、図４に図示されたアイコンリスト４１０が第１ユーザーの携帯電話機１１０の画面にディスプレイされる。
【００４０】
前記‘▲刑▼容準’は、選択ボタン４３０と検索ボタン４４０とを通じて携帯電話番号を表わすアイコン４１１、メッセンジャーアドレスを表わすアイコン４１４、電子メールアドレスを表わすアイコン４１８、及びミニホームページアドレスを表わすアイコン４１７を構成アイコンとするアイコンプロファイル５００を作る。前記‘▲刑▼容準’は、保存ボタン５３０を用いて作られたアイコンプロファイル５００を携帯電話機１１０のメモリに保存する。前記‘▲刑▼容準’は、編集ボタン５2０を用いて作られたアイコンプロファイル５００を修正／変更でき、名前である‘▲刑▼容準５１０’も修正／変更できる。
【００４１】
図６は、図５に図示された第１ユーザーアイコンプロファイルに含まれた各アイコンが表示する通信端末機の番号またはアドレスを入力する方法を表わす概念図である。‘▲刑▼容準’は、編集ボタン５２０を用いて携帯電話番号を所定の窓５５０に、メッセンジャーアドレスを所定の窓５５１に、電子メールアドレスを所定の窓５５２に、そしてミニホームページアドレスを所定の窓５５３にそれぞれ入力できる。図７は、第１ユーザーアイコンプロファイルの第２実施形態を表わす。第１ユーザーである‘▲刑▼容準’が編集ボタン６２０を押せば、図４に図示されたアイコンリスト４１０が第１ユーザーの携帯電話機１１０の画面にディスプレイされる。
【００４２】
前記‘▲刑▼容準’は、選択ボタン４３０と検索ボタン４４０とを通じて携帯電話番号を表わすアイコン４１１と会社電話番号を表わすアイコン４１３とを構成アイコンとするアイコンプロファイル６００を作る。該作られたアイコンプロファイル６００は、携帯電話機１１０のメモリに保存される。前記アイコンプロファイル６００は、編集ボタン６２０を用いて修正／変更でき、名前である‘▲刑▼容準’も‘Ｒｉｃｏｌａ６１０’に修正／変更できる。
【００４３】
図４ないし図７を参照して説明したような方法で、第１ユーザーは多数個のアイコンプロファイルを作ることができ、前記多数個のアイコンプロファイルそれぞれは、図４に図示されたような少なくとも一つのアイコン４１１ないし４２０を含む。図８は、通信端末機に図示された多数個のアイコンプロファイルを表わすアイコンプロファイルリストを表わす。図８を参照すれば、前記アイコンプロファイルリスト７００は、多数個の第１ユーザーアイコンプロファイル７１０、７２０、７３０、及び７４０を表わす。
【００４４】
第１ユーザーは、多数個の第１ユーザーアイコンプロファイル７１０、７２０、７３０、及び７４０のうちから第２ユーザーの通信端末機１５０に伝送する第１ユーザーアイコンプロファイルを確認ボタン７５０を用いて選択できる。また、第１ユーザーは、編集ボタン７６０を用いて図４ないし図７を参照して説明したように、既に作成された第１ユーザーアイコンプロファイル７１０ないし７４０を修正／変更できる。
【００４５】
もし、第１ユーザーが、アイコンプロファイル７１０を選択して確認ボタン７５０を押せば、携帯電話機１１０の画面４００には、図９に図示されたようなグラフィックユーザーインターフェース８００が図示される。第１ユーザーは、受信者番号入力窓８１０に、選択されたアイコンプロファイル７１０を受信する第２ユーザーの携帯電話番号を入力し、回信電話番号入力窓８２０に、第２ユーザーの通信端末機１５０から回信アイコンプロファイルを回信される携帯電話番号を入力する。第１ユーザーが確認ボタン８４０を押せば、アイコンプロファイル７１０は、サーバー１３０及び／または移動通信社の中継システムを通じて第２ユーザーの携帯電話機１５０に伝送される。また、第１ユーザーは、検索ボタン８３０を通じて図８に図示されたアイコンプロファイルリスト７００のうちから第２ユーザーの携帯電話機１５０に伝送しようとするアイコンプロファイルを選択できる。
【００４６】
図１０は、相手の通信端末機に伝送するアイコンプロファイルを確認できるグラフィックユーザーインターフェースの一例を表わす。図９と図１０を参照すれば、第１ユーザーが確認ボタン８４０を押せば、第１ユーザーの携帯電話機１１０の画面４００には伝送するアイコンプロファイル（９１０＝７１０）が図示される。第１ユーザーが確認ボタン９３０を押せば、選択されたアイコンプロファイル７１０は、サーバー１３０及び／または移動通信社の中継システムを通じて第２ユーザーの携帯電話機１５０に伝送される。また、第１ユーザーは、検索ボタン９２０を用いて図８に図示されたアイコンプロファイルリスト７００のうちから第２ユーザーの携帯電話機１５０に伝送しようとするアイコンプロファイルをまた選択できる。
【００４７】
図１１は、アイコンプロファイルを受信した受信者の通信端末機に表示された受信通報グラフィックユーザーインターフェースの一例を表わす。図１２は、受信者の通信端末機に受信されたアイコンプロファイルを確認するためのグラフィックユーザーインターフェースの一例を表わす。図１、図２、及び図１２を参照すれば、第１ユーザーアイコンプロファイル１１００が第２ユーザー携帯電話機１５０に伝送されれば、前記第２ユーザー携帯電話機１５０の画面１０００には誰からどんなアイコンプロファイルが伝送されたかを表わす窓１０１０が活性化される。第２ユーザーが確認ボタン１０２０を押せば、第２ユーザー携帯電話機１５０の画面１０００には、図１２に図示されたように、第１ユーザー携帯電話機１１０から伝送された第１ユーザーアイコンプロファイル１１００がディスプレイされる。
【００４８】
このとき、第２ユーザーが確認ボタン１１１０を押せば、デフォルトと設定された第２ユーザーアイコンプロファイルがサーバー１３０及び／または移動通信社の中継システムを通じて第１ユーザーの携帯電話機１１０に伝送される。しかし、第２ユーザーが返信ボタン１１２０を押せば、図１３に図示されたような第２ユーザーアイコンプロファイルリスト１２００が携帯電話機１５０の画面１０００に表われる。図１３は、第２ユーザーによって作成された多数個のアイコンプロファイルのリスト１２００を表わす第２ユーザープロフィールリストに対するグラフィックユーザーインターフェースの一例を表わす。
【００４９】
前記第２ユーザープロフィールリスト１２００に表われた第２ユーザーの各アイコンプロファイル１２１０、１２２０、及び１２３０は、図３ないし図７を参照して説明された第１ユーザーアイコンプロファイル生成方法と同一の方法で生成される。第２ユーザーである‘崔光鎔（チェグァンヨン）’のアイコンプロファイル１２１０は、携帯電話番号を表わすアイコン４１１、メッセンジャーアドレスを表わすアイコン４１４及び電子メールアドレスを表わすアイコン４１８を含む。
【００５０】
そして、第２ユーザーである‘崔光鎔’が自身のＩＤ（Ｊｅｄａｉ）を名前とするアイコンプロファイル１２３０は、携帯電話番号を表わすアイコン４１１及び銀行口座番号を表わすアイコン４１９を含む。第２ユーザーは、第１ユーザーの携帯電話機１１０に伝送する第２ユーザーアイコンプロファイル（例えば、１２１０）を選択して確認ボタン１２４０を押せば、選択された第２ユーザーアイコンプロファイルは、サーバー１３０及び／または移動通信社の中継システムを通じて第１ユーザーの携帯電話機１１０に伝送される。
図１４は、第１通信端末機に保存されたアイコンプロファイルリスト（または、コンタクトリスト）の一例を表わす。図１４を参照すれば、コンタクトリストは、多数の第２ユーザーに対するアイコンプロファイルを含む。例えば、‘Ｊｉｎｎｙ’のアイコンプロファイルは、電子メールアドレスを表わすアイコン１３１０、携帯電話番号を表わすアイコン１３２０、会社電話番号を表わすアイコン１３３０、ミニホームページのアドレスを表わすアイコン１３４０、及び親等を表わすアイコン１３５１を含む、部材番号１３５０に表示された各数字は、第１ユーザーと各第２ユーザー（Ｊｉｎｎｙ、Ｒｉｃｏｌａ、Ｊｅｄａｉ、Ｊｉｎｎｅ、Ｒｉｃｈ、Ｒｏｂｅｒｔ、洪吉童(ホンギルドン)、洪吉子（ホンギルチャ））との親等を表わす。
【００５１】
図１、図１４、及び１５を参照して、第１ユーザーの通信端末機１１０の画面４００に親等情報を表示する方法は、次のようである。第１ユーザーは、自身の第１通信端末機１１０に表示された第２ユーザー（例えば、Ｊｉｎｎｙ）のアイコンプロファイルのうちから第１親等情報アイコン１３５１を選択する。前記第１通信端末機１１０は、移動通信ネットワークを通じてサーバー１３０から選択された第２ユーザー（例えば、Ｊｉｎｎｙ）と社会的ネットワークを構成する図１５に図示されたような少なくとも一人以上の第３ユーザー（例えば、Ｃｈｒｉｓ、Ｌｉｎｄａ、Ａｎｎａ、Ｌｕｃｙ、Ｍｅｌｉｓｓａ、Ｅｓｔｈｅｒ、金相勲（キムサンフン）、李聖在（リソンチェ））についての情報を読み取る。
【００５２】
前記第１通信端末機１１０は、前記サーバー１３０から読み取られた少なくとも一人以上の第３ユーザー（例えば、Ｃｈｒｉｓ、Ｌｉｎｄａ、Ａｎｎａ、Ｌｕｃｙ、Ｍｅｌｉｓｓａ、Ｅｓｔｈｅｒ、金相勲、李聖在）についての情報に基づいて図１５に図示されたように、前記第１通信端末機１１０の画面４００に前記少なくとも一人以上の第３ユーザーのアイコンプロファイルを含むコンタクトリスト１３００’を表示する。前記第２ユーザーのアイコンプロファイル（例えば、Ｊｉｎｎｙのアイコンプロファイル）には、前記第２ユーザーの名前（Ｊｉｎｎｙ）と前記第１ユーザーと前記第２ユーザーとの親等を表示する前記第１親等情報アイコン１３５１が表示される。
【００５３】
前記第３ユーザーのアイコンプロファイル（例えば、Ｃｈｒｉｓのアイコンプロファイル）には、前記第３ユーザーの名前（Ｃｈｒｉｓ）と前記第１ユーザーと前記第３ユーザーとの親等を表示する第２親等情報アイコン１３５５が表示される。他の実施形態によれば、前記第３ユーザーのアイコンプロファイル（例えば、Ｃｈｒｉｓのアイコンプロファイル）には、前記第３ユーザーの名前（Ｃｈｒｉｓ）と前記第２ユーザー（例えば、Ｊｉｎｎｙ）と前記第３ユーザー（Ｃｈｒｉｓ）との親等を表示する第２親等情報アイコンが表示されうる。部材番号１３５３は、Ｊｉｎｎｙの１親等である第３ユーザー（Ｃｈｒｉｓ、Ｌｉｎｄａ、Ａｎｎａ、Ｍｅｌｉｓｓａ、Ｅｓｔｈｅｒ、金相勲、李聖在）と第１ユーザーの親等を表示する。このとき、Ｌｕｃｙは、第１ユーザーと１親等であると同時に第２ユーザー（Ｊｉｎｎｙ）の１親等である。ここで、１親等とは、第１ユーザーの知人を言い、２親等は、前記第１ユーザーの知人の知人を言う。
【００５４】
もし、第１ユーザーが、第２ユーザーであるＪｉｎｎｙの１親等であるＣｈｒｉｓの親等情報アイコン１３５５を選択する場合、前記第１ユーザーの携帯電話機１１０は、前記サーバー１３０から前記ｃｈｒｉｓと社会的ネットワークを構成する第４ユーザー（Ｅｌｌｅｎ、Ｓｕｓａｎ、Ｊｅｓｓｉｃａ、Ａｒｗｅｎ、Ｃａｔｅ、Ａｍｙ、李昌赫（リチャンヨク）、高世勳（コセフン））とについての情報を読み取る。
【００５５】
前記第１ユーザーの携帯電話機１１０は、前記第４ユーザーについての情報に基づいて各第４ユーザーのアイコンプロファイルをコンタクトリストに表示する。部材番号１３５７に表示された数字は、第１ユーザーと第４ユーザー（Ｅｌｌｅｎ、Ｓｕｓａｎ、Ｊｅｓｓｉｃａ、Ａｒｗｅｎ、Ｃａｔｅ、Ａｍｙ、李昌赫，高世勳）との親等を表わす。また、Ｅｌｌｅｎは、Ｊｉｎｎｙの１親等であるＣｈｒｉｓの１親等である。
【００５６】
また、図１を参照して、本発明の他の通信端末機を用いて親等を確認する方法は、次のようである。第１ユーザーは、自身の通信端末機１１０の通話リストに表示されて前記通信端末機１１０に電話をかけた第２ユーザーの電話番号を選択する。
【００５７】
前記通信端末機１１０は、選択された第２ユーザーに対する社会的ネットワーク情報を得るための信号を前記第１ユーザーとネットワークを形成している人（ら）とについての情報及び／または前記第２ユーザーと社会的ネットワークを形成している人（ら）とについての情報を保存しているサーバー１３０に伝送する。
【００５８】
前記通信端末機１１０は、前記信号に応答して、前記サーバー１３０から伝送された前記第２ユーザーに対する社会的ネットワーク情報に基づいて前記第１ユーザーと前記第２ユーザーとの親等及び／または前記第１ユーザーとネットワークを形成している人と前記第２ユーザーとの親等情報を前記通信端末機１１０に表示する。
【００５９】
また、本発明による住所録に少なくとも一つの第３ユーザーに対する社会的ネットワークについての情報を保存する通信端末機を用いて親等を確認する方法は、次のようである。第１ユーザーは、自身の通信端末機１１０の通話リストに表示されて前記通信端末機１１０に電話をかけた第２ユーザーを選択する。前記通信端末機１１０は、選択された第２ユーザーに対する社会的ネットワーク情報を得るための信号を前記第１ないし第３ユーザーに対する社会的ネットワークについての情報を保存するサーバー１３０に伝送する。
【００６０】
前記通信端末機１１０は、前記信号に応答して、前記サーバー１３０から伝送された前記第１ないし第３ユーザーに対する社会的ネットワーク情報に基づいて前記第１ユーザーと前記第２ユーザーとの親等と前記第２ユーザーと前記第３ユーザーとの親等のうちから少なくとも一つを前記通信端末機１１０に表示する。
【００６１】
前述した方法と同一の方法で、第１ユーザーは、自身が電話をかけようとする第２ユーザーに対する親等もサーバー１３０に問い合わせることができる。また、第１ユーザーは、自身が電話をかけようとする第２ユーザーと自身の住所録に保存されている第３ユーザーとの親等もサーバー１３０を通じて調べることができる。
【００６２】
すなわち、前記サーバー１３０の住所録データベース１３１には、第１ユーザーと社会的ネットワークを形成する人についての情報、第２ユーザーと社会的ネットワークを形成する人とについての情報、及び第３ユーザーと社会的ネットワークを形成する人とについての情報が保存されているので、電話をかけてきた人と電話をかけようとする人が第１ユーザー、第２ユーザー、または第３ユーザーとどんな親等関係が形成されるかが分かる。
【００６３】
図１６は、第１ユーザーによって図１４に図示された第２ユーザーの電子メールアイコンが選択されて第２ユーザーによって第２ユーザーの電子メールアドレスが非公開になった場合のグラフィックユーザーインターフェースの一例を表わす。図１７は、第１ユーザーによって図１４に図示された第２ユーザーの電子メールアイコンが選択され、第２ユーザーによって第２ユーザーの電子メールアドレスが公開になった場合のグラフィックユーザーインターフェースの一例を表わす。
【００６４】
図１４ないし図１７を参照すれば、第１ユーザーが携帯電話機１１０の画面４００に表われた‘Ｊｉｎｎｙ’の電子メールアドレスを表わすアイコン１３１０を選択すれば、画面４００には、電子メールを発送するための窓１４００と１５００とが表われる。図１６に図示された窓１４００と異なって図１７に図示された窓１５００には、‘Ｊｉｎｎｙ’の電子メールアドレスが表われている。第２ユーザーである‘Ｊｉｎｎｙ’は、自身の携帯電話機を用いて電子メールアドレスの公開如何を決定しうる。第１ユーザーが自身の携帯電話機１１０を用いて電子メールを作成し、‘ｏｐｔｉｏｎ’の所定の機能を用いて作成された電子メールを第２ユーザーである’Ｊｉｎｎｙ’の携帯電話機１５０または所定のＰＣに発送できる。
【００６５】
図１４に図示された各アイコンプロファイルを構成する各アイコンは、各アイコンが表わす第２ユーザーの通信端末機の現在の状態、例えば、第２ユーザーの携帯電話が通話中であるか、第２ユーザーが現在留守中であるか否か、または前記第２ユーザーが海外にいるので、前記第２ユーザーの携帯電話機が海外ローミング中であるか否かを第２ユーザーが設定することもできる。したがって、第１ユーザーは、第２ユーザーの通信端末機の状態が分かるので、第１ユーザーは第２ユーザーが通話可能な期間に前記第２ユーザーと通話ができる効果がある。
【００６６】
図１８は、第１ユーザーによって図１４に図示された第２ユーザーの携帯電話アイコンが選択されて第２ユーザーによって第２ユーザーの携帯電話番号が非公開になった場合のグラフィックユーザーインターフェースの一例を表わす。図１９は、第１ユーザーによって図１４に図示された第２ユーザーの携帯電話アイコンが選択され、第２ユーザーによって第２ユーザーの携帯電話番号が公開になった場合のグラフィックユーザーインターフェースの一例を表わす。
【００６７】
図１４、図１８、及び図１９を参照すれば、第１ユーザーが第２ユーザーである‘Ｊｉｎｎｙ’の携帯電話機を表わすアイコン１３２０を選択すれば、携帯電話機１１０は、‘Ｊｉｎｎｙ’の携帯電話機１５０に電話をかける窓１６００と１７００とが表われる。図１８に図示された窓１６００と異なって図１９に図示された窓１７００には、第２ユーザーである‘Ｊｉｎｎｙ’の携帯電話番号が表われている。第２ユーザーである‘Ｊｉｎｎｙ’は、自身が作ったアイコンプロファイルに携帯電話番号の公開如何を決定しうる。
【００６８】
図２０ないし図２３は、第１ユーザーによって図１４に図示された第２ユーザーがミニホームページアイコンが選択された場合、前記第１ユーザーの通信端末機に表示された前記第２ユーザーのミニホームページのグラフィックユーザーインターフェースの一例を表わす。
【００６９】
図１４、図２０、図２１、図２２、及び図２３を参照すれば、第１ユーザーが、第２ユーザーである‘Ｊｉｎｎｙ’のミニホームページアドレスを表わすアイコン１３４０を選択すれば、携帯電話機１１０と第２ユーザーである‘Ｊｉｎｎｙ’のミニホームページは、有／無線通信ネットワークを通じて接続される。したがって、第１ユーザーは、自身の携帯電話機１１０を用いて第２ユーザーである‘Ｊｉｎｎｙ’のミニホームページに保存された情報に近付くことができる。
【００７０】
図２４は、本発明の実施形態によって第１ユーザーがアイコンを用いて第２ユーザーと通信する方法を表わすフローチャートである。図１ないし図８、図２４を参照すれば、第１ユーザーと第２ユーザーそれぞれは、自身の通信端末機１１０と１５０とまたは自身のＰＣを用いて少なくとも一つ以上の自身のアイコンプロファイルを生成する（２２１０）。第１ユーザーと第２ユーザーそれぞれは、自身の通信端末機を用いて自身のアイコンプロファイルと他人のプロフィールとを互いに交換する（２２２０）。
【００７１】
第１ユーザーは、自身の通信端末機１１０に表示されたアイコンを用いて前記アイコンが表示する第２ユーザーの通信端末機１５０、１６０、１７０、及び１８０と通信（音声通信、データ通信など）をする。また、第２ユーザーは、自身の通信端末機１５０に表示されたアイコンを用いて前記アイコンが表示する第２ユーザーの通信端末機１１０と通信（音声通信、データ通信など）をする（２２３０）。
【００７２】
図２５は、本発明の実施形態によって修正された第２ユーザーの会社電話番号を前記第２ユーザーとネットワークを形成するすべてのユーザーとの通信端末機と同期させる方法を表わすフローチャートである。図１ないし図２３、及び図２５を参照すれば、第２ユーザーは、自身の通信端末機（例えば、携帯電話機、または、ＰＣ）１５０を用いて自身の会社電話番号を修正する（２３１０）。通信端末機１５０は、サーバー１３０に修正された自身の会社電話番号を伝送する（２３２０）。
【００７３】
サーバー１３０は、第２ユーザーとネットワークを形成するすべてのユーザーとの通信端末機（例えば、携帯電話機）に修正された第２ユーザーの会社電話番号を伝送する（２３３０）。すなわち、アップデートされた第２ユーザーの会社電話番号と第２ユーザーとネットワークを形成するすべてのユーザーの通信端末機に保存された第２ユーザーの会社電話番号とは互いに同期する。
【００７４】
第１ユーザーは、自身の携帯電話機１１０に表示された第２ユーザーの会社電話番号を表わすアイコン１３３０を用いて前記アイコン１３３０に表示される第２ユーザーの会社電話と通信する（２３４０）。すなわち、会社電話番号を表わすアイコン１３３０は、第２ユーザーが会社を移すかまたは部署を移動して会社電話番号が変わった場合にもアップデートされた会社電話番号を表わす。
【００７５】
本発明の実施形態は、コンピュータシステムで実行できるプログラムとして作成可能である。また、前記プログラムを記録したコンピュータで読み取り可能な記録媒体から読出された該当のプログラムは、デジタルコンピュータシステムで実行可能である。前記記録媒体には、磁気記録媒体（例えば、ＲＯＭ、フロッピーディスク、ハードディスクなど）、光学的判読媒体（例えば、ＣＤ−ＲＯＭ、ＤＶＤなど）及びキャリアウエーブ（例えば、インターネットを通じる伝送）のような媒体を含む。
【００７６】
本発明は、図面に図示された実施形態を参考にして説明されたが、これは例示的なものに過ぎず、当業者ならば、これより多様な変形及び均等な他実施形態が可能であるという点を理解できるであろう。したがって、本発明の真の技術的保護範囲は、特許請求の範囲の技術的思想によって決まるべきである。
【産業上の利用可能性】
【００７７】
本発明は、アイコンを利用した通信装置と通信方法に関連する技術分野に適用可能である。
【図面の簡単な説明】
【００７８】
【図１】本発明の実施形態によるアイコンプロファイルを交換し、前記アイコンプロファイル内のアイコンを用いて通信できるシステムのブロック図である。
【図２】本発明の他の実施形態によるアイコンプロファイルを交換し、前記アイコンプロファイル内のアイコンを用いて通信できるシステムのブロック図である。
【図３】本発明の実施形態によるアイコンプロファイルを交換し、前記アイコンプロファイル内のアイコンを用いて通信できる通信端末機のブロック図である。
【図４】通信端末機のアイコン保存手段に保存されたアイコンリストを表わす。
【図５】第１ユーザーアイコンプロファイルの第１実施形態を表わす。
【図６】図５に図示された第１ユーザーアイコンプロファイルに含まれた各アイコンが表示する通信端末機の番号またはアドレスを入力する方法を表わす概念図である。
【図７】第１ユーザーアイコンプロファイルの第２実施形態を表わす。
【図８】通信端末機に図示された多数個のアイコンプロファイルを表わすアイコンプロファイルリストを表わす。
【図９】選択されたアイコンプロファイルを相手の通信端末機に伝送できるグラフィックユーザーインターフェースの一例を表わす。
【図１０】相手の通信端末機に伝送するアイコンプロファイルを確認できるグラフィックユーザーインターフェースの一例を表わす。
【図１１】アイコンプロファイルを受信した受信者の通信端末機に表示された受信通報グラフィックユーザーインターフェースの一例を表わす。
【図１２】受信者の通信端末機に受信されたアイコンプロファイルを確認するためのグラフィックユーザーインターフェースの一例を表わす。
【図１３】第２ユーザーによって作成された多数個のアイコンプロファイルのリストを表わすプロファイルリストに対するグラフィックユーザーインターフェースの一例を表わす。
【図１４】第１通信端末機に保存されたアイコンプロファイルリストの一例を表わす。
【図１５】第１通信端末機を用いてアイコンプロファイルリストで選択された者の社会的ネットワークを確認する方法を表わす概念図である。
【図１６】第１ユーザーによって図１４に図示された第２ユーザーの電子メールアイコンが選択され、第２ユーザーによって第２ユーザーの電子メールアドレスが非公開になった場合のグラフィックユーザーインターフェースの一例を表わす。
【図１７】第１ユーザーによって図１４に図示された第２ユーザーの電子メールアイコンが選択され、第２ユーザーによって第２ユーザーの電子メールアドレスが公開になった場合のグラフィックユーザーインターフェースの一例を表わす。
【図１８】第１ユーザーによって図１４に図示された第２ユーザーの携帯電話アイコンが選択され、第２ユーザーによって第２ユーザーの携帯電話番号が非公開になった場合のグラフィックユーザーインターフェースの一例を表わす。
【図１９】第１ユーザーによって図１４に図示された第２ユーザーの携帯電話アイコンが選択され、第２ユーザーによって第２ユーザーの携帯電話番号が公開になった場合のグラフィックユーザーインターフェースの一例を表わす。
【図２０】第１ユーザーによって図１４に図示された第２ユーザーがミニホームページアイコンが選択された場合、前記第１ユーザーの通信端末機に表示された前記第２ユーザーのミニホームページのグラフィックユーザーインターフェースの一例を表わす。
【図２１】第１ユーザーによって図１４に図示された第２ユーザーがミニホームページアイコンが選択された場合、前記第１ユーザーの通信端末機に表示された前記第２ユーザーのミニホームページのグラフィックユーザーインターフェースの一例を表わす。
【図２２】第１ユーザーによって図１４に図示された第２ユーザーがミニホームページアイコンが選択された場合、前記第１ユーザーの通信端末機に表示された前記第２ユーザーのミニホームページのグラフィックユーザーインターフェースの一例を表わす。
【図２３】第１ユーザーによって図１４に図示された第２ユーザーがミニホームページアイコンが選択された場合、前記第１ユーザーの通信端末機に表示された前記第２ユーザーのミニホームページのグラフィックユーザーインターフェースの一例を表わす。
【図２４】本発明の実施形態によって第１ユーザーがアイコンを用いて第２ユーザーと通信する方法を表わすフローチャートである。
【図２５】本発明の実施形態によって修正された第１ユーザーの家の電話番号を前記第１ユーザーとネットワークを形成するすべてのユーザーの通信端末機と同期させる方法を表わすフローチャートである。
【符号の説明】
【００７９】
１１０、１５０、１５１、１５３、１６０、１７０、１８０：通信端末機  
１３０：サーバー
１３１：住所録ＤＢ
【図１】
2008533800.tif 000003
【図２】
2008533800.tif 000004
【図３】
2008533800.tif 000005
【図４】
2008533800.tif 000006
【図５】
2008533800.tif 000007
【図６】
2008533800.tif 000008
【図７】
2008533800.tif 000009
【図８】
2008533800.tif 000010
【図９】
2008533800.tif 000011
【図１０】
2008533800.tif 000012
【図１１】
2008533800.tif 000013
【図１２】
2008533800.tif 000014
【図１３】
2008533800.tif 000015
【図１４】
2008533800.tif 000016
【図１５】
2008533800.tif 000017
【図１６】
2008533800.tif 000018
【図１７】
2008533800.tif 000019
【図１８】
2008533800.tif 000020
【図１９】
2008533800.tif 000021
【図２０】
2008533800.tif 000022
【図２１】
2008533800.tif 000023
【図２２】
2008533800.tif 000024
【図２３】
2008533800.tif 000025
【図２４】
2008533800.tif 000026
【図２５】
2008533800.tif 000027
【国際調査報告】
2008533800.tif 000028
2008533800.tif 000029